(57)【要約】      （修正有）【課題】例えば１個４円で貸与される従来のパチンコ球と識別可能な、例えば１個１円で貸与される低価格貸与用のパチンコ球であって、製造コストを低く抑えながらも、耐久性および外観体裁に優れたパチンコ球を提供する。【解決手段】従来のパチンコ球と識別可能なパチンコ球であって、芯材としての鋼球１の表面全体を粗面化すると共に、その粗面化した表面１ａにクロムメッキ層２を形成する、あるいは、芯材としての鋼球の表面の全体に艶消しクロムメッキ層を形成し、従来のパチンコ球と識別可能な程度に表面性状ないしは外観体裁が異なるものとする。【選択図】図２
0003140763.tif 000002
【実用新案登録請求の範囲】
【請求項１】
鋼球の表面が粗面化されると共に、その粗面化された表面にクロムメッキ層が形成されることにより、粗面化されていない鋼球表面にクロムメッキ層が形成された従来のパチンコ球と識別可能な程度に表面性状が異なっていることを特徴とする、パチンコ球。
【請求項２】
前記表面性状は、鏡面反射率、鏡面光沢度、表面荒さ、表面凹凸の形状、大きさ、パターンまたは密度、色感のうちのいずれか１又はそれらの任意の組合せによって定義されるものである、請求項１に記載のパチンコ球。
【請求項３】
前記従来のパチンコ球と肉眼で識別可能な程度に前記表面性状が異なるものである、請求項１又は２に記載のパチンコ球。
【請求項４】
前記表面性状としての鏡面反射率が、前記従来のパチンコ球より低く設定されることにより、前記従来のパチンコ球と肉眼で識別可能となされている、請求項１に記載のパチンコ球。
【請求項５】
前記表面性状としての鏡面光沢度が、前記従来のパチンコ球より低く設定されることにより、前記従来のパチンコ球と肉眼で識別可能となされている、請求項１に記載のパチンコ球。
【請求項６】
前記鋼球の粗面化された表面に形成された前記クロムメッキ層が、それ自体艶消し効果を有するものである、請求項１に記載のパチンコ球。
【請求項７】
前記クロムメッキ層は、前記鋼球の粗面化された表面の凹凸に伴なう当該クロムメッキ層表面の凹凸とは別に、前記クロムメッキ層の表面自体が粗面化されることにより前記艶消し効果を有するものとなされている、請求項６に記載のパチンコ球。
【請求項８】
鋼球の表面にクロムメッキ層が形成されてなるパチンコ球において、
前記クロムメッキ層が、鋼球の表面にクロムメッキ層が形成された従来のパチンコ球におけるそのクロムメッキ層と較べて艶ないし光沢が低く抑えられた艶消しクロムメッキ層で構成されることにより、前記従来のパチンコ球と識別可能な程度に外観体裁が異なっていることを特徴とする、パチンコ球。
【請求項９】
前記艶消しクロムメッキ層は、鋼球の表面に形成したクロムメッキ層に粗面化処理を施すことにより表面に微細な凹凸が形成されたものである、請求項８に記載のパチンコ球。
【請求項１０】
鋼球の表面にクロムメッキ層が形成されてなるパチンコ球であって、
前記クロムメッキ層に表面処理を施すことにより、表面処理が施されていないクロムメッキ層を備えた従来のパチンコ球と識別可能な程度に表面性状が異なっていることを特徴とする、パチンコ球。
【請求項１１】
前記表面性状は、鏡面反射率、鏡面光沢度、表面荒さ、表面凹凸の形状、大きさ、パターンまたは密度、色感、模様のうちのいずれか１又はそれらの任意の組合せによって定義されるものである、請求項１０に記載のパチンコ球。
【請求項１２】
前記クロムメッキ層は、その表面が前記表面処理としての粗面化処理が施されることにより、前記従来のパチンコ球と識別可能な程度に前記表面性状が異なるものである、請求項１０または１１記載のパチンコ球。
【請求項１３】
前記従来のパチンコ球と肉眼で識別可能な程度に前記表面性状が異なるものである、請求項１０ないし１２のいずれか１に記載のパチンコ球。
【請求項１４】
前記表面性状としての鏡面反射率が、前記従来のパチンコ球より低く設定されることにより、前記従来のパチンコ球と肉眼で識別可能となされている、請求項１０ないし１２のいずれか１に記載のパチンコ球。
【請求項１５】
前記表面性状としての鏡面光沢度が、前記従来のパチンコ球より低く設定されることにより、従来のパチンコ球と肉眼で識別可能となされている、請求項１０ないし１２のいずれか１に記載のパチンコ球。
【考案の詳細な説明】
【技術分野】
【０００１】
本考案は、パチンコ遊戯機で使用されるパチンコ球、とくに従来から広く一般的に使用されてきた例えば１個４円で貸与される、硬球の表面にクロムメッキ層を形成したパチンコ球（以下、この明細書において、「従来のパチンコ球」という）と識別可能な例えば１個１円で貸与される低価格貸与用として好適に用いられるパチンコ球に関するものである。
【背景技術】
【０００２】
ギャンブル性の高い機種を撤廃するいわゆる風俗法の規則改正の関係で、現在、例えば１個４円で貸与されるパチンコ球（以下、１個４円球という）に対して、「いっパチ」あるいは「ワンパチ」等と称されることのある、例えば１個１円で貸与されるパチンコ球（以下、１個１円球という）を使ったパチンコ遊戯機（パチンコ台）を導入するパチンコ店が増えている。
【０００３】
従来、１個４円で貸与される従来のパチンコ球としては、硬球の表面にクロムメッキ層を施したものが広く使用されている。
【０００４】
同一パチンコ店において、１個４円球を使用するパチンコ遊戯機と１個１円球を使用するパチンコ遊戯機の双方を設置する場合、２種類の球を何らかの手段で識別することが必要となる。ところで、この種のパチンコ球は、いわゆる風俗法において、鋼製であって、所定の大きさ、重さとなるように規格が定められている。従って、その規格の範囲内で識別可能な２種類（あるいは３種類以上）のパチンコ球を提供することが要求される。
【０００５】
そこで、従来は、１個４円球の従来のパチンコ球と識別する目的で、例えば後述の特許文献１に記載されているように、硬球の表面に従来のクロムメッキ層に代えてチタンコーティング層を形成して表面が金色を呈するものとなされたパチンコ球が提案されている。
【特許文献１】登録実用新案第３０２２９３１号公報
【考案の開示】
【考案が解決しようとする課題】
【０００６】
上記提案に係るチタンコーティング層を形成した金色のパチンコ球（１個１円球）においては、クロムメッキ層を形成した従来のパチンコ球（１個４円球）との差別化が可能であり、しかも金色の金属光沢が発現されることから見た目にも美しく、また耐久性に優れているという効果があるものの、従来のパチンコ球（１個４円球）と較べて製造コストが数倍もかかるという大きな問題を抱えるものであった。
【０００７】
そこで本考案者は、上記提案に係るチタンコーティング層を形成した高価なパチンコ球（１個１円球）に代えて、コーティング層（メッキ層）の成分（組成）を種々変更したり、あるいは鋼球の表面に着色処理を施すなど種々の試作品を作成し、テストを繰り返したが、いずれも耐久性（耐摩耗性、耐表面剥離性、耐衝撃性等を含む）、価格、外観体裁等の全ての要求を満足しうるものではなかった。
【０００８】
本考案は、上述のような事情に鑑みてなされたものであって、例えば１個４円で貸与される従来のパチンコ球と識別可能なものであって、製造コストを抑えつつ、それでいて耐久性に優れ、かつ外観体裁においても見劣りのすることのない、例えば１個１円で貸与される低価格貸与用として好適に使用することができるパチンコ球を提供することを目的とするものである。
【課題を解決するための手段】
【０００９】
而して、本考案の第１の側面によると、鋼球の表面が粗面化されると共に、その粗面化された表面にクロムメッキ層が形成されることにより、粗面化されていない鋼球表面にクロムメッキ層が形成された従来のパチンコ球と識別可能な程度に表面性状が異なっていることを特徴とするパチンコ球を要旨とするものである。
【００１０】
ここで、この考案において「表面性状」とは、鋼球表面に形成されたクロムメッキ層の表面の鏡面反射率、鏡面光沢度、表面荒さ、表面凹凸の形状、大きさ、パターンまたは密度、艶の有無またはその程度、色感、模様、見た目ないし外観体裁等の表面状態を広く含む意味において用いるものとする。
【００１１】
従来のパチンコ球と肉眼で識別可能な程度に前記表面性状が異なるものであっても良く、あるいは電子センサー等の電子機器で識別可能な程度に表面性状が異なるものであっても良い。
【００１２】
前記クロムメッキ層の前記表面性状としての鏡面反射率または鏡面光沢度が、従来のパチンコ球より低く設定されることにより、従来のパチンコ球と肉眼で識別可能となされたものであっても良い。また、前記クロムメッキ層は、それ自体が艶消し効果を有するものであっても良い。例えば、上述のとおり鋼球の粗面化された表面の凹凸に伴うクロムメッキ層表面の凹凸とは別に、クロムメッキ層の表面自体が粗面化等の表面処理によって艶消し効果を有するものを例示しうる。
【００１３】
本考案の第２の側面によると、鋼球の表面にクロムメッキ層が形成されてなるパチンコ球において、前記クロムメッキ層が、鋼球の表面にクロムメッキ層が形成された従来のパチンコ球におけるそのクロムメッキ層と較べて艶ないし光沢が低く抑えられた艶消しクロムメッキ層で構成されることにより、前記従来のパチンコ球と識別可能な程度に外観体裁が異なっていることを特徴とする、パチンコ球を要旨とするものである。
【００１４】
前記艶消しクロムメッキ層は、鋼球の表面に形成したクロムメッキ層に粗面化処理を施すことにより表面に微細な凹凸が形成されたものであっても良い。
【００１５】
本考案の第３の側面によると、鋼球の表面にクロムメッキ層が形成されてなるパチンコ球であって、前記クロムメッキ層に表面処理を施すことにより、表面処理が施されていないクロムメッキ層を備えた従来のパチンコ球と識別可能な程度に表面性状が異なっていることを特徴とする、パチンコ球を要旨とするものである。
【００１６】
この場合も、従来のパチンコ球と肉眼で識別可能な程度に前記表面性状が異なるものであっても良く、あるいは電子センサー等の電子機器で識別可能な程度に表面性状が異なるものであっても良い。
【００１７】
また、前記表面性状としての前記クロムメッキ層の鏡面反射率または鏡面光沢度が、従来のパチンコ球より低く設定されることにより、従来のパチンコ球と肉眼で識別可能となされたものであっても良い。
【考案の効果】
【００１８】
請求項１乃至７に記載のパチンコ球は、従来のパチンコ球と同様に、鋼球の表面にクロムメッキ層が形成されたものであるため、従来のパチンコ球と同様の耐久性を有するのはもとより、粗面化された鋼球表面にクロムメッキ層が形成されたものであるため、メッキ層の付着性が向上しメッキ層の剥離が起こりにくいという効果も期待することができる。また、従来のクロムメッキ処理パチンコ球と較べて、鋼球表面が粗面化されている点を除いて、同様の構成を有するものであるため、製造コストを従来品と同程度に低く抑えることができる。更には、識別可能な程度に前記クロムメッキ層の表面性状が従来品と異なるものであるから、本考案に係るパチンコ球（１個１円球）を、従来のパチンコ球（１個４円球）と目視で簡単に識別できる程度の表面性状を有するものとすれば、パチンコ球の不正使用（１個１円球を１個４円球用のパチンコ遊戯機で使用する行為）を容易に発見することができる。また、表面性状の相違がやや視認困難なものであっても、電子センサー等の電子機器で識別可能な程度のものとすれば、センサーを遊戯機（パチンコ台）等に設置することにより、パチンコ球の不正使用を自動的に判別することも可能とすることができる。
【００１９】
請求項８乃至１５に記載のパチンコ球も、同様に、従来のパチンコ球（１個４円球）と識別可能であって、製造コストを低く抑えつつも、優れた耐久性を維持することができる。更には、識別可能な程度に外観体裁ないし表面性状が従来品と異なるものであるから、本考案に係るパチンコ球（１個１円球）を、従来のパチンコ球（１個４円球）と目視で簡単に識別できる程度の外観体裁ないし表面性状を有するものとすれば、パチンコ球の不正使用（１個１円球を１個４円球用のパチンコ遊戯機で使用する行為）を容易に発見することができる。また、表面性状の相違がやや視認困難なものであっても、電子センサー等の電子機器で識別可能な程度のものとすれば、センサーを遊戯機（パチンコ台）等に設置することにより、パチンコ球の不正使用を自動的に判別することも可能とすることができる。
【考案を実施するための最良の形態】
【００２０】
以下、この考案を図面に基づいて説明する。
【実施例１】
【００２１】
図１は、本考案の実施例１にかかるパチンコ球（１個１円球）の全体正面図である。図２は、図１のＡ部を拡大して模式的に示した断面図である。即ち、この断面図は、説明を容易にするために模式的に描かれたものであり、従って、必ずしも実際の製品の断面の縮尺等を正確に拡大して再現したものではない。このパチンコ球Ｐ１は、例えば１個４円で貸与される従来のパチンコ球（１個４円球）と識別するために用いられる、例えば１個１円で貸与されるパチンコ球（１個１円球）であって、芯材としての鋼球１の表面にクロムメッキ層２が形成されたものである。
【００２２】
この実施例にかかるパチンコ球Ｐ１は、鋼球１の表面１ａの全体に粗面化処理を施したのち、その粗面化された表面１ａにクロムメッキ層２を形成したものである。上記粗面化処理は、例えば、鋼球１の表面に、メッキ処理に先立って、鉄、砂、ガラス等の粗面化処理用の粒子を吹き付けたりこれら粒子と共に鋼球１を撹拌することにより行われる、例えばブラスト処理、ナシジ（梨地）処理等、従来既知の各種物理的または化学的な粗面化処理法を適宜選択し実施することにより行うことができる。而して、前記粗面化された鋼球表面１ａには微細な凹凸等が形成されている。その後、その粗面化処理を施した鋼球表面全体に、従来既知の手法に従って、従来のパチンコ球（１個４円球）と同様のメッキ処理手順でクロムメッキ層２を形成することにより、容易に製造することができる。
【００２３】
このパチンコ球（１個１円球）１は、硬球１の表面１ａが粗面化されていることより、その表面に形成されるクロムメッキ層２が、粗面化された鋼球表面１ａの凹凸の影響を受けて、その凹凸に対応した凹凸に形成されており、表面性状が従来のパチンコ球（１個４円球、すなわち硬球の表面が粗面化されていないクロムメッキ球）と較べて異なるものとなっている。この表面性状は、鋼球２の表面に施す粗面化処理条件（例えば機械的に粗面化する場合には粗面化処理用の粒子の大きさやその吹き付け、撹拌等の諸条件、化学的に粗面化する場合にはその処理浴の組成、温度、処理時間等の諸条件）を適宜変更することによって任意に設定することができる。即ち、鋼球１の表面の粗面化の程度（表面に形成される凹凸の形状、深さ、パターン、密度等を含む表面状態）によって、その後クロムメッキ層２を形成した状態におけるその表面における鏡面反射率、表面光沢度、艶の程度、色合、色感、模様、外観体裁等の表面性状が異なってくる。例えば粗面化し過ぎると光沢度等が低下し過ぎてくすんだ感じになり高級感が損なわれるので、目視で従来のパチンコ球（１個４円球）と明確に識別できる程度であって高級感があまり損なわれない程度に適宜調整することが望ましい。もっとも電子センサー等の電子機器を用いて識別を行う場合には、目視で識別できる程度に表面性状が異なるものである必要はなく、その電子センサー等の電子機器で識別できる程度に表面性状が異なるものであれば足りる。
【００２４】
このパチンコ球（１個１円球）Ｐ１は、上述のとおり、従来の製法に粗面化処理工程を追加するだけで製造することができるので、粗面化処理装置を追加するだけで従来の製造装置をそのまま使用することができる。従って、従来のパチンコ球（１個４円球）と同程度の製造コストで容易に製造することができるという利点がある。しかも、この実施例に係るパチンコ球（１個１円球）は、従来のパチンコ球（１個４円球）と同様に、鋼球１の表面１ａにクロムメッキ層２を形成したものであるので、耐久性の点でも優れた性能を維持することができる。
【実施例２】
【００２５】
図３は、本考案の実施例２にかかるパチンコ球（１個１円球）Ｐ２の全体正面図である。図４は、図３のＢ部を拡大して模式的に示した断面図である。この断面図も、図２と同様に、説明を容易にするために模式的に描かれたものであり、従って、必ずしも実際の製品の断面の縮尺等を正確に拡大して再現したものではない。このパチンコ球Ｐ２も、実施例１と同様に、例えば１個４円で貸与される従来のパチンコ球（１個４円球）と識別するために用いられる、例えば１個１円で貸与されるパチンコ球（１個１円球）であって、芯材としての鋼球１０の表面１０ａにクロムメッキ層２０が形成されたものである。
【００２６】
この実施例にかかるパチンコ球Ｐ２は、実施例１のパチンコ球Ｐ１とは異なり、鋼球１０の表面１０ａに実施例１で説明したような粗面化処理を施こすことなく、表面１０ａ全体にクロムメッキ層２０を形成したものであるが、そのクロムメッキ層として艶消しクロムメッキ層２０を採用したものである。この艶消しクロムメッキ層２０は、例えばメッキ処理条件を適宜設定することにより、あるいはメッキ処理後に表面を既知の方法で粗面化することにより作成することができる。
【００２７】
このパチンコ球（１個１円球）１の表面性状は、艶消しクロムメッキ層２０の艶消し程度の如何によって鏡面反射率、表面光沢度、艶程度、色合い、色感、模様、外観体裁等の表面性状が異なってくる。艶消しの程度が過ぎると光沢度等が低下し過ぎてくすんだ感じになり高級感が損なわれるので、目視で従来のパチンコ球（１個４円球）と明確に識別できる程度であって高級感があまり損なわれない程度に適宜調整することが望ましい。もっとも、電子センサー等の電子機器を用いて識別を行う場合には、目視で識別できる程度に表面性状が異なるものである必要はなく、その電子センサー等の電子機器で識別できる程度に表面性状が異なるものであれば足りる。
【００２８】
この実施例２に係るパチンコ球（１個１円球）Ｐ２は、上述のとおり、クロムメッキ処理条件を変更しあるいは更にメッキ処理後にメッキ層の表面を粗面化するだけで製造することができるので、従来の製造装置をそのまま使用することができる。従って、従来のパチンコ球（１個４円球）と同程度の製造コストで容易に製造することができるという利点がある。しかも、このパチンコ球（１個１円球）は、従来のパチンコ球（１個４円球）と同様に、鋼球１０の表面にクロムメッキ層２０を形成したものであるので、コストを安価に維持しながらも、耐久性の点でも優れた性能を維持することができる。
【００２９】
なお、本明細書において、１個につき４円で貸与されるパチンコ球を１個４円球と称し、また１個につき１円で貸与されるパチンコ球を１個１円球と称し、本考案を１個１円球に適用した場合を便宜的に説明したが、本考案は、言うまでもなく、貸与される価格が１個１円であるパチンコ球に限られることはなく、状況に応じて他の価格（例えば１個につき２円等）で貸与されるものについても適用されるものである。換言すると、本考案は、１個あたりの貸与価格の異なる複数種類のパチンコ球を同一の店舗内で提供する必要がある場合にも適用することができるものであり、表面性状を、必要とされる種類の数に応じて相違させることによって対応することができるものである。
【産業上の利用可能性】
【００３０】
従来のパチンコ球（１個４円球）と識別する目的で、例えば低価格貸与用として使用されるパチンコ球（１個１円球）として好適に用いることができる。
【図面の簡単な説明】
【００３１】
【図１】本考案の実施例１にかかるパチンコ球（１個１円球）の全体正面図である。
【図２】図１のＡ部を拡大した模式的な断面図である。
【図３】本考案の実施例２にかかるパチンコ球（１個１円球）の全体正面図である。
【図４】図３のＢ部を拡大した模式的な断面図である。
【符号の説明】
【００３２】
Ｐ１    パチンコ球
１      鋼球
１ａ    鋼球の表面
２      クロムメッキ層
Ｐ２    パチンコ球
１０    鋼球
１０ａ  鋼球の表面
２０    クロムメッキ層
【図１】
0003140763.tif 000003
【図２】
0003140763.tif 000004
【図３】
0003140763.tif 000005
【図４】
0003140763.tif 000006